(57)【要約】  【課題】扉自動開放装置の押出し棒の先端形状を二股に分岐させることで、一つの扉自動開放装置だけで、観音扉式冷蔵庫の第１及び第２の扉を同時開放させることができる、冷蔵庫の扉自動開放装置を提供する。  【解決手段】冷蔵庫本体６の反ヒンジ１０側の天井部１３に、前後に可動可能な先端形状が二股に分岐された押出し棒１４と、押出し棒１４を前後に駆動させる駆動スイッチ１５が冷蔵庫扉７側に設けられた扉自動開放装置１６を設ける。これにより一つの扉自動開放装置だけで、観音扉式冷蔵庫の第１及び第２の扉を同時開放させることができる。【選択図】図３
2007178078.tif 000002
【特許請求の範囲】
【請求項１】
冷蔵庫本体の前面に開口部を有した断熱箱体と、この断熱箱体に一端がヒンジを介して回動可能に支持され、前記開口部を閉塞するように設けられた観音開き式の第１及び第２の扉と、前記第１及び第２の扉の内周縁に装着されたガスケットとを有し、前記第１及び第２の扉の反ヒンジ側の断熱箱体天井部に扉自動開放装置を備えた冷蔵庫において、前記扉自動開放装置は押出し棒を備え、前記押出し棒の先端は二股に分岐し、前記第１及び第２の扉を同時に開放可能としたことを特徴とする冷蔵庫の扉自動開放装置。
【請求項２】
扉自動開放装置の前記押出し棒が、前記第１あるいは第２扉側前面に設けられた切換スイッチを押すことで９０°回転し、第１或いは第２の扉のみ開放可能とすることを特徴とする請求項１に記載の冷蔵庫の扉自動開放装置。
【発明の詳細な説明】
【技術分野】
【０００１】
本発明は冷蔵庫の扉自動開放装置に関するものである。
【背景技術】
【０００２】
従来、市販されている冷蔵庫には、断熱箱体における開口部の前面に、それぞれの一端部がヒンジで支持された観音開き式の第１及び第２の扉が設けられ、これら両扉の内周縁には、それぞれガスケットが取り付けられていて、その扉が冷蔵室に連なる開口を閉じていると、当該扉と冷蔵庫の前縁との間には、ほぼ気密シールが画成されて、冷蔵庫内の冷気が外部に逃げないようになっている。周知のように、前記磁気ガスケットは、扉を密閉させておくのに必要な磁気吸引力を醸し出す永久磁石が埋設された構成になっている。ところが、冷蔵庫扉を開ける際に、磁気ガスケットが扉と冷蔵庫外箱の前縁との間の磁気吸引力を解除するには、相当の力が必要となる。両扉の庫内側に、満杯のビン類や缶詰類、小容器類など扉に相当の荷重がかかっている場合、相当の力が必要であり、近年冷蔵庫扉の開放操作力を低減するために冷蔵庫の扉を電気的な駆動源を用いて開放させる扉自動開放装置を備えるものがある（例えば、特許文献１参照）。
【０００３】
図８は、特許文献１に記載された従来の冷蔵庫の扉自動開放装置の要部縦断面図を示すものである。例えば、駆動源としてモータ１８を用いると共に、ギア機構を介してピニオン１９に伝え、ピニオン１９とラック２０により、直線運動に変換し、そのラック２０と一体の押出し棒２１を、前後に直線運動させる構成とする。このような構成の電動式の扉自動開放装置２２を、冷蔵庫扉７と対向する冷蔵庫本体６側に設置する。そして、駆動スイッチ１５操作に基づき、モータ１８を回転させ、その回転に基づき押出し棒２１を突出させ、その押出し棒２１により冷蔵庫扉７を押し開ける構成とするものである。
【特許文献１】特開２００１−５６１７６号公報
【発明の開示】
【発明が解決しようとする課題】
【０００４】
しかしながら、上記のような構成では、冷蔵室の扉が、第１及び第２扉を有する観音扉式に於いては、扉が２枚有り、上記扉自動開放装置を、冷蔵庫本体の天井部に２個設置しなくてはならず、設置スペース的にも又、コスト的にも、非常に高くなるという課題を有していた。本発明は、上記課題を解決するもので、扉自動開放装置の押出し棒の先端形状を二股に分岐させることで、一つの扉自動開放装置だけで、観音扉式冷蔵庫の第１及び第２の扉を同時開放させることができる冷蔵庫の扉自動開放装置を提供することを目的とする。
【課題を解決するための手段】
【０００５】
上記従来の課題を解決するために、本発明の冷蔵庫の扉自動開放装置は、冷蔵庫本体の前面において開口部を有した断熱箱体と、この断熱箱体に、一端部がヒンジを介して回動可能に支持され、前記開口部を開閉するように設けられた第１及び第２の扉と、前記第１及び第２の扉の内周縁に、前記冷蔵庫本体の前面に吸着する様に、装着されたガスケットが、設けられた、回動式の扉を開放させるものであって、前記冷蔵庫本体の反ヒンジ側の天井部に、前後に可動可能な押出し棒を有し、自動的に前記第１及び第２の扉の一部に当接させ、開放させることができる扉自動開放装置において、前記扉自動開放装置の押出し棒の先端形状を、二股に分岐させた構成としたものである。
【０００６】
これによって、一つの扉自動開放装置だけで、観音扉式冷蔵庫の第１及び第２の扉を同時開放させることができるものである。
【発明の効果】
【０００７】
本発明の冷蔵庫の扉自動開放装置は、扉自動開放装置の押出し棒の先端形状を二股に分岐させることで、一つの扉自動開放装置だけで、観音扉式冷蔵庫の第１及び第２の扉を同時開放させることができ、使い勝手の向上が図れる。
【発明を実施するための最良の形態】
【０００８】
請求項１に記載の発明は、冷蔵庫本体の前面に開口部を有した断熱箱体と、この断熱箱体に一端がヒンジを介して回動可能に支持され、前記開口部を閉塞するように設けられた観音開き式の第１及び第２の扉と、前記第１及び第２の扉の内周縁に装着されたガスケットとを有し、前記第１及び第２の扉の反ヒンジ側の断熱箱体天井部に扉自動開放装置を備えた冷蔵庫において、前記扉自動開放装置は押出し棒を備え、前記押出し棒の先端は二股に分岐し、前記第１及び第２の扉を同時に開放可能としたものであり、使い勝手の向上が図れる。
【０００９】
請求項２に記載の発明は、請求項１に記載の発明において、扉自動開放装置の前記押出し棒が、前記第１あるいは第２扉側前面に設けられた切換スイッチを押すことで９０°回転し、第１或いは第２の扉のみ開放可能とするものであり、必要なときに片側のみの扉を開閉でき、さらに使い勝手の向上を図ることができる。
【００１０】
以下、本発明の実施の形態について、図面を参照しながら説明する。なお、この実施の形態によってこの発明が限定されるものではない。
【００１１】
（実施の形態１）
図１は本発明の実施の形態１における冷蔵庫の扉自動開放装置の要部縦断面図である。図２は同実施の形態における冷蔵庫の扉自動開放装置の平面図である。図３は同実施の形態における冷蔵庫の扉自動開放装置が扉開放した時の平面図である。図４は同実施の形態における冷蔵庫の扉自動開放装置の要部正面図である。
【００１２】
図１から図４において、内箱１と外箱２との間に断熱材３が充填され、前面に開口部４を有した断熱箱体５によって構成された冷蔵庫本体６を示している。７は観音開き式の冷蔵庫扉であり、第１の扉８及び第２の扉９を有し、扉枠部材と扉パネルとガスケット１２を装着した扉内板１１及び断熱材３とから構成されている。
【００１３】
前記、第１の扉８及び第２の扉９はそれぞれ一端部がヒンジ１０を介して回動可能に支持されており、扉の内周縁に前記、冷蔵庫本体６の前面に吸着する様に扉内板１１に装着されたガスケット１２を設けることで、冷蔵庫扉７との密閉状態を保持している。
【００１４】
前記、冷蔵庫本体６の反ヒンジ１０側の天井部１３に、前後に可動可能な先端形状が二股に分岐された押出し棒１４と、押出し棒１４を前後に駆動させる駆動スイッチ１５が冷蔵庫扉７側に設けられた扉自動開放装置１６を有するように構成されている。
【００１５】
以上のように構成された冷蔵庫の扉自動開放装置について、以下その動作を説明する。
【００１６】
冷蔵庫扉７前面部に設けられた駆動スイッチ１５を押すことで、扉自動開放装置１６の押出し棒１４が前方向に駆動する。この際、押出し棒１４の先端形状が二股に分岐されているため、一つの扉自動開放装置１６だけで前記観音開き式の冷蔵庫扉７の第１の扉８及び第２の扉９の一部へそれぞれ当接し、同時に開放させることができる。
【００１７】
（実施の形態２）
図５は本発明の実施の形態２における冷蔵庫の扉自動開放装置の要部縦断面図である。図６は同実施の形態における冷蔵庫の扉自動開放装置が扉開放した時の平面図である。図７は同実施の形態における冷蔵庫の扉自動開放装置の押出し棒が９０°回転時の要部正面図である。
【００１８】
図５から図７において、冷蔵庫本体６の反ヒンジ１０側の天井部１３に、前後に可動可能な先端形状が二股に分岐された押出し棒１４と、押出し棒１４を前後に駆動させる駆動スイッチ１５と押出し棒１４を９０°回転する切換スイッチ１７が、冷蔵庫扉７側に設けられた扉自動開放装置１６を有するように構成されている。
【００１９】
以上のように構成された冷蔵庫の扉自動開放装置について、以下その動作を説明する。
【００２０】
冷蔵庫扉７前面部に設けられた駆動スイッチ１５を押すことで、扉開放装置１６の押出し棒１４が前方向に駆動する。押出し棒１４の先端形状が二股に分岐されているため、一つの扉自動開放装置１６だけで前記観音開き式の冷蔵庫扉７の第１の扉８及び第２の扉９の一部へそれぞれ当接し、同時に開放させることができる。
【００２１】
この際、前記二股に分岐された押出し棒１４が、冷蔵庫扉７前面部に設けられた切換スイッチ１７を押すことで、９０°回転し、第１の扉８或いは第２の扉９のみ、開放させることができるものである。
【産業上の利用可能性】
【００２２】
以上のように、本発明にかかる冷蔵庫の扉自動開放装置は、前記扉自動開放装置の押出し棒の先端形状を、二股に分岐させ前記第１及び第２の扉を同時に開放させることが、可能となるので、電化製品全般の扉自動開放装置として利用できる。
【図面の簡単な説明】
【００２３】
【図１】本発明の実施の形態１における冷蔵庫の扉自動開放装置の要部縦断面図
【図２】同実施の形態の冷蔵庫の扉自動開放装置の平面図
【図３】同実施の形態の冷蔵庫の扉自動開放装置の扉開放時の平面図
【図４】同実施の形態の冷蔵庫の扉自動開放装置の要部正面図
【図５】本発明の実施の形態２における冷蔵庫の扉自動開放装置の要部縦断面図
【図６】同実施の形態の冷蔵庫の扉自動開放装置の扉開放時の平面図
【図７】同実施の形態の冷蔵庫の扉自動開放装置の押出し棒９０°回転時の要部正面図
【図８】従来の冷蔵庫の扉自動開放装置の要部縦断面図
【符号の説明】
【００２４】
１    内箱
２    外箱
３    断熱材
４    開口部
５    断熱箱体
６    冷蔵庫本体
７    冷蔵庫扉
８    第１の扉
９    第２の扉
１０  ヒンジ
１１  扉内板
１２  ガスケット
１３  天井部
１４  押出し棒
１５  駆動スイッチ
１６  扉自動開放装置
１７  切換スイッチ
【図１】
2007178078.tif 000003
【図２】
2007178078.tif 000004
【図３】
2007178078.tif 000005
【図４】
2007178078.tif 000006
【図５】
2007178078.tif 000007
【図６】
2007178078.tif 000008
【図７】
2007178078.tif 000009
【図８】
2007178078.tif 000010